(57)【特許請求の範囲】
【請求項１】
導光板と、
前記導光板の一方面側に配置される第１表示パネルと、
前記導光板と前記第１表示パネルとの間に配置され、反射機能を有しない第１レンズシートと、
前記第１表示パネルと前記第１レンズシートとの間に配置され、前記第１レンズシートと同じ材料からなり、前記第１レンズシートよりも大きい厚みを有するとともに、反射機能を有しない第２レンズシートとを備えた、表示装置。
【請求項２】
前記第２レンズシートは、前記第１レンズシートよりも撓みにくい、請求項１に記載の表示装置。
【請求項３】
前記第１表示パネルの前記第２レンズシート側には、第１偏光板がさらに設けられるとともに、前記第２レンズシートは、前記第１レンズシートよりも熱収縮しにくい、請求項１または２に記載の表示装置。
【請求項４】
前記第１レンズシートは、平面的に見て四角形状の外形線を有するとともに、前記外形線の所定の１辺と実質的に平行な方向に延びる第１プリズム部を有し、
前記第２レンズシートは、前記第１レンズシートの前記第１プリズム部と実質的に直交する方向に延びる第２プリズム部を有する、請求項１〜３のいずれか１項に記載の表示装置。
【請求項５】
前記導光板の他方面側に配置されるとともに、前記第１表示パネルよりも大きい面積を有する第２表示パネルと、
前記第２表示パネルと前記導光板との間に前記導光板側から順に配置される第３レンズシートおよび第４レンズシートとをさらに備えた、請求項１〜４のいずれか１項に記載の表示装置。
【請求項６】
前記第２表示パネルと前記第４レンズシートとの間には、前記第３レンズシートおよび前記第４レンズシートを透過する光が干渉することにより生じる干渉縞を抑制するための拡散層を有する、請求項５に記載の表示装置。
【請求項７】
前記第２表示パネルの前記導光板側には、第２偏光板がさらに設けられるとともに、前記第２偏光板の前記導光板側には、照射された光のうち、Ｐ波またはＳ波のいずれか一方を透過するとともに、他方を反射して、反射された光を再利用することにより、前記第２表示パネルの正面輝度を上げるための偏光部材がさらに設けられ、
前記拡散層は、前記偏光部材と前記第２偏光板との間に配置され、接着剤に拡散材が混入された接着層を含む、請求項６に記載の表示装置。
【請求項８】
前記偏光部材の前記導光板側の表面には、前記第４レンズシートとの接触を抑制するための保護層が設けられている、請求項７に記載の表示装置。
【請求項９】
情報を表示するための表示装置と、情報を入力するための入力部とを備えた携帯機器であって、
前記表示装置は、
導光板と、
前記導光板の一方面側に配置される第１表示パネルと、
前記導光板と前記第１表示パネルとの間に配置され、反射機能を有しない第１レンズシートと、
前記第１表示パネルと前記第１レンズシートとの間に配置され、前記第１レンズシートと同じ材料からなり、前記第１レンズシートよりも大きい厚みを有するとともに、反射機能を有しない第２レンズシートとを含む、携帯機器。
【発明の詳細な説明】
【技術分野】
【０００１】
この発明は、表示装置および携帯機器に関し、特に、レンズシートを備えた表示装置および携帯機器に関する。
【背景技術】
【０００２】
従来、プリズムシート（レンズシート）を備えたＬＣＤユニット（液晶表示装置）が知られている（たとえば、特許文献１参照）。
【０００３】
図１６は、上記特許文献１に記載された従来の一例によるＬＣＤユニットの構造を示した断面図である。図１６を参照して、特許文献１に記載された従来の一例によるＬＣＤユニット１００の構造について説明する。
【０００４】
特許文献１に記載された従来の一例によるＬＣＤユニット１００は、照明装置１１０と、照明装置１１０の一方面側に配置されるサブパネル１２０と、照明装置１１０の他方面側に配置されるメインパネル１３０とを備えている。このサブパネル１２０は、一対の透明基板１２１および１２２をシール材１２３を介して貼り合わせてセル構造を形成し、そのセル構造の内部に液晶１２４を封入することによって構成されている。また、照明装置１１０とサブパネル１２０との間には、照明装置１１０側から順に、１枚の拡散シート１０１および１枚のプリズムシート（レンズシート）１０２が配置されている。このプリズムシート１０２は、断面が三角形状のプリズム部１０２ａを有している。また、照明装置１１０は、発光ダイオード（ＬＥＤ）１１１ａを備えた光源部１１１と、光源部１１１から出射された光を平面状の光としてサブパネル１２０およびメインパネル１３０の背面に照射する導光板１１２とから構成されている。また、拡散シート１０１は、導光板１１２から出射された光を拡散させて導光板１１２の発光面内の明るさを均一化する機能を有している。また、プリズムシート１０２は、拡散シート１０１を通過した光をプリズム部１０２ａによりサブパネル１２０の背面に集光させる機能を有している。
【０００５】
また、メインパネル１３０は、サブパネル１２０よりも大きい面積を有する。このメインパネル１３０は、上記サブパネル１２０と同様、一対の透明基板１３１および１３２をシール材１３３を介して貼り合わせてセル構造を形成し、そのセル構造の内部に液晶１３４を封入することによって構成されている。また、照明装置１１０とメインパネル１３０との間には、照明装置１１０側から順に、１枚の拡散シート１０３および１枚のプリズムシート（レンズシート）１０４が配置されている。このプリズムシート１０４は、上記プリズムシート１０２と同様、断面が三角形状のプリズム部１０４ａを有している。なお、メインパネル１３０と導光板１１２との間に配置された拡散シート１０３およびプリズムシート１０４は、それぞれ、サブパネル１２０と導光板１１２との間に配置された拡散シート１０１およびプリズムシート１０２と同様の機能を有している。
【０００６】
【特許文献１】特開２００５−２０９６１８号公報
【発明の開示】
【発明が解決しようとする課題】
【０００７】
しかしながら、図１６に示した特許文献１のＬＣＤユニット１００では、レンズシート１０２が薄い場合には、レンズシート１０２の自重によりレンズシート１０２が撓むという不都合がある。このため、レンズシート１０２とサブパネル１２０との間に場所によって異なる間隔の隙間が生じるので、照明装置１１０から出射された光がレンズシート１０２および隙間を通過する際の光路差に起因して光の干渉による明暗の干渉縞（ニュートンリング）が発生する。その結果、サブパネル１２０に、明暗の干渉縞（ニュートンリング）が生じるという問題点がある。なお、レンズシート１０４が薄い場合にも、上記と同様、メインパネル１３０に、明暗の干渉縞（ニュートンリング）が生じるという問題点がある。
【０００８】
この発明は、上記のような課題を解決するためになされたものであり、この発明の１つの目的は、干渉縞を実質的に解消することが可能な表示装置および携帯機器を提供することである。
【課題を解決するための手段および発明の効果】
【０００９】
上記目的を達成するために、この発明の第１の局面による表示装置は、導光板と、導光板の一方面側に配置される第１表示パネルと、導光板と第１表示パネルとの間に配置され、反射機能を有しない第１レンズシートと、第１表示パネルと第１レンズシートとの間に配置され、第１レンズシートと同じ材料からなり、第１レンズシートよりも大きい厚みを有するとともに、反射機能を有しない第２レンズシートとを備えている。
【００１０】
この第１の局面による表示装置では、上記のように、第１表示パネルと第１レンズシートとの間に配置される第２レンズシートの厚みを、導光板と第１表示パネルとの間に配置される第１レンズシートの厚みよりも大きくすることによって、第２レンズシートの曲げ強度が大きくなるので、第２レンズシートの撓みを抑制することができる。このため、第２レンズシートと第１表示パネルとの間の間隔が不均一になるのを抑制することができる。これにより、第２レンズシートと第１表示パネルとの間の間隔の不均一による光路差に起因して生じる光の干渉による明暗の干渉縞（ニュートンリング）が第１表示パネルに発生するのを抑制することができる。また、第２レンズシートの厚みを、第１レンズシートの厚みよりも大きくすることによって、厚みの大きいレンズシートの方が熱収縮するための熱エネルギを多く必要とするので、第２レンズシートの熱収縮を抑制することができる。このため、熱収縮による第２レンズシートの変形により、第２レンズシートと第１表示パネルとの間の間隔が不均一になるのを抑制することができるので、これによっても、第１表示パネルに、明暗の干渉縞（ニュートンリング）が生じるのを抑制することができる。
【００１１】
上記第１の局面による表示装置において、好ましくは、第２レンズシートは、第１レンズシートよりも撓みにくい。このように構成すれば、第２レンズシートと第１表示パネルとの間の間隔が不均一になるのを容易に抑制することができるとともに、第１レンズシートと第２レンズシートとの間の間隔の不均一の度合いを容易に小さくすることができるので、上記間隔の不均一（光路差）に起因して生じる光の干渉による明暗の干渉縞（ニュートンリング）が発生するのを容易に抑制することができる。
【００１２】
上記第１の局面による表示装置において、好ましくは、第１表示パネルの第２レンズシート側には、第１偏光板がさらに設けられるとともに、第２レンズシートは、第１レンズシートよりも熱収縮しにくい。このように構成すれば、第２レンズシートの熱収縮を容易に抑制することができるので、熱収縮により第２レンズシートが変形するのを容易に抑制することができる。
【００１３】
上記第１の局面による表示装置において、好ましくは、第１レンズシートは、平面的に見て四角形状の外形線を有するとともに、外形線の所定の１辺と実質的に平行な方向に延びる第１プリズム部を有し、第２レンズシートは、第１レンズシートの第１プリズム部と実質的に直交する方向に延びる第２プリズム部を有する。このように構成すれば、第１プリズム部によって集光された光を、第１プリズム部と直交する方向に延びる第２プリズム部によってさらに集光することができるので、第１表示パネルの正面輝度を容易に向上させることができる。このため、このような構成を、上記第１の局面の第２レンズシートの厚みを第１レンズシートの厚みよりも大きくする構成に付加することによって、第１表示パネルに干渉縞が生じるのを抑制しながら、第１表示パネルの正面輝度を向上させることができる。
【００１４】
上記第１の局面による表示装置において、好ましくは、導光板の他方面側に配置されるとともに、第１表示パネルよりも大きい面積を有する第２表示パネルと、第２表示パネルと導光板との間に導光板側から順に配置される第３レンズシートおよび第４レンズシートとをさらに備えている。このように構成すれば、第３レンズシートおよび第４レンズシートによって、レンズシートを１枚配置された場合に比べて、集光性を有効に向上させることができるので、第２表示パネルの正面輝度を有効に向上させることができる。このため、このような両面に表示パネルが設けられた構成を、上記第１の局面の第２レンズシートの厚みを第１レンズシートの厚みよりも大きくする構成に付加することによって、第１表示パネルに干渉縞が生じるのを抑制しながら、第２表示パネルの正面輝度を向上させることができる。
【００１５】
上記第３レンズシートおよび第４レンズシートが配置された表示装置において、好ましくは、第２表示パネルと第４レンズシートとの間には、第３レンズシートおよび第４レンズシートを透過する光が干渉することにより生じる干渉縞を抑制するための拡散層を有する。このように構成すれば、第３レンズシートおよび第４レンズシートが撓むか、または、熱収縮により第３レンズシートおよび第４レンズシートが変形することに起因して、第２表示パネルと第４レンズシートとの間の間隔および第３レンズシートおよび第４レンズシートとの間の間隔が不均一になった場合でも、上記間隔の不均一（光の光路差）に起因して生じる光の干渉による明暗の差を減少するように、導光板から出射された光を拡散層によって拡散させることができる。これにより、光路差に起因して生じる光の干渉による明暗の干渉縞（ニュートンリング）が第２表示パネルに生じるのを実質的に抑制することができる。
【００１６】
上記第２表示パネルと第４レンズシートとの間に拡散層を有する表示装置において、好ましくは、第２表示パネルの導光板側には、第２偏光板がさらに設けられるとともに、第２偏光板の導光板側には、照射された光のうち、Ｐ波またはＳ波のいずれか一方を透過するとともに、他方を反射して、反射された光を再利用することにより、第２表示パネルの正面輝度を上げるための偏光部材がさらに設けられ、拡散層は、偏光部材と第２偏光板との間に配置され、接着剤に拡散材が混入された接着層を含む。このように構成すれば、偏光部材を第２偏光板に接着させる際の接着層を、拡散層として用いることができるので、別途拡散シートなどを設ける必要がなくなる。このため、別途拡散シートなどを設ける場合に比べて、表示装置の厚みを小さくすることができる。
【００１７】
上記偏光部材が設けられた表示装置において、好ましくは、偏光部材の導光板側の表面には、第４レンズシートとの接触を抑制するための保護層が設けられている。このように構成すれば、熱収縮によって第４レンズシートが変形することに起因して第４レンズシートが第２偏光板を押圧する場合でも、偏光部材の表面に設けられた保護層によって、偏光部材の表面に傷が付くのを容易に抑制することができる。
【００１８】
この発明の第２の局面による携帯機器は、情報を表示するための表示装置と、情報を入力するための入力部とを備えた携帯機器であって、表示装置は、導光板と、導光板の一方面側に配置される第１表示パネルと、導光板と第１表示パネルとの間に配置され、反射機能を有しない第１レンズシートと、第１表示パネルと第１レンズシートとの間に配置され、第１レンズシートと同じ材料からなり、第１レンズシートよりも大きい厚みを有するとともに、反射機能を有しない第２レンズシートとを含む。
【００１９】
この第２の局面による携帯機器では、上記のように、携帯機器に、導光板と、導光板の一方面側に配置される第１表示パネルと、導光板の他方面側に配置されるとともに第１表示パネルよりも大きい面積を有する第２表示パネルと、導光板と第１表示パネルとの間に配置される第１レンズシートと、第１表示パネルと第１レンズシートとの間に配置され、第１レンズシートよりも大きい厚みを有するとともに、反射機能を有しない第２レンズシートとを含む表示装置を用いることによって、第１表示パネルに干渉縞（ニュートンリング）が生じるのを抑制することが可能な携帯機器を提供することができる。
【発明を実施するための最良の形態】
【００２０】
以下、本発明を具体化した実施形態を図面に基づいて説明する。
【００２１】
図１は、本発明の一実施形態によるＬＣＤユニット（液晶表示装置）をサブパネル側から見た斜視図であり、図２は、図１に示した一実施形態によるＬＣＤユニットをメインパネル側から見た斜視図である。図３は、図１に示した一実施形態によるＬＣＤユニットの分解斜視図である。図４〜図１３は、図１に示した一実施形態によるＬＣＤユニットの詳細を説明するための図である。図１〜図１３を参照して、本実施形態によるＬＣＤユニット１の構造について説明する。なお、本実施形態では、本発明の表示装置としてＬＣＤユニット（液晶表示装置）に例をとって説明する。
【００２２】
図１および図２に示す本実施形態によるＬＣＤユニット（液晶表示装置）１は、図３に示すように、下から順番に、メインパネル（下側パネル）２０と、遮光シート５３と、レンズシート５２ｂおよび５２ａと、拡散シート５１と、樹脂フレーム３１と、拡散シート３６と、レンズシート３７ａおよび３７ｂと、遮光シート３８と、補強プレート３９と、微粘着の両面テープ４０と、強粘着の両面テープ４１と、共通ＦＰＣ（フレキシブルプリント配線板）４２と、サブパネル１０（上側パネル）と、ベゼル（金属製フレーム）４３とを含んでいる。なお、サブパネル１０およびメインパネル２０は、それぞれ、本発明の「第１表示パネル」および「第２表示パネル」の一例である。
【００２３】
サブパネル１０の構造としては、図３および図４に示すように、２枚のガラス基板１１ａおよび１１ｂが、液晶層（図示せず）を挟んで互いに対向するように配置されている。また、ガラス基板１１ａのガラス基板１１ｂとは反対側の表面上には、偏光板１２ａが配置されているとともに、ガラス基板１１ｂのガラス基板１１ａとは反対側の表面上には、偏光板１２ｂが配置されている。この偏光板１２ａは、図５に示すように、約３０μｍの厚みを有するポリビニルアルコール（ＰＶＡ：Ｐｏｌｙ  Ｖｉｎｙｌ  Ａｌｃｏｈｏｌ）層１２１ａと、ＰＶＡ層１２１ａの上面および下面に配置され、約４０μｍの厚みを有するトリアセチルセルロース（ＴＡＣ：Ｔｒｉａｃｅｔｙｌ  Ｃｅｌｌｕｌｏｓｅ）層１２２ａとからなる三層構造を有している。また、偏光板１２ｂは、偏光板１２ａと同様の構造を有している。すなわち、図５に示すように、約３０μｍの厚みを有するＰＶＡ層１２１ｂと、ＰＶＡ層１２１ｂの上面および下面に配置され、約４０μｍの厚みを有するＴＡＣ層１２２ｂとからなる三層構造を有している。また、偏光板１２ａおよび１２ｂは、それぞれ、約２５μｍの厚みを有するアクリル系樹脂からなる接着材１２ｃを介して、ガラス基板１１ａおよび１１ｂに接着されている。
【００２４】
また、図３に示すように、偏光板１２ａ（１２ｂ）が配置された領域内の破線で囲まれた領域が、サブパネル１０の表示領域１０ａとなるとともに、表示領域１０ａ以外の領域が、非表示領域１０ｂとなる。また、サブパネル１０の非表示領域１０ｂ内の所定領域において、ガラス基板１１ａのガラス基板１１ｂ側の表面上には、サブパネル用駆動ＩＣ１３が形成されている。そして、サブパネル用駆動ＩＣ１３には、サブパネル用ＦＰＣ（フレキシブルプリント配線板）１４が接続されている。
【００２５】
樹脂フレーム３１の２つの長辺部の側面には、図３および図７に示すように、それぞれ、後述するベゼル４３用の係合片３１ａが、外側に突出するように３つずつ形成されている。また、樹脂フレーム３１の一方の短辺部の側面の両端部には、補強プレート３９用の係合片３１ｂが外側に突出するように形成されている。また、樹脂フレーム３１の他方の短辺部の側面には、後述する補強プレート３９用の１つの係合片３１ｂ（図７参照）が外側に突出するように形成されている。また、樹脂フレーム３１の他方の短辺部の側面には、ベゼル４３用の係合片３１ａが外側に突出するように１つ形成されている。また、樹脂フレーム３１の一方の短辺部と樹脂フレーム３１の２つの長辺部との連結部分には、それぞれ、後述する共通ＦＰＣ４２用の位置決めピン３１ｃがサブパネル１０側に突出するように形成されている。また、樹脂フレーム３１の一方の短辺部のメインパネル２０側には、切り欠き部３１ｅが形成されている。
【００２６】
また、樹脂フレーム３１の切り欠き部３１ｅのメインパネル２０側の表面には、図３に示すように、強粘着の両面テープ（Ｎｏ．５３２、日東電工製）３２を介して、ＬＥＤ（発光ダイオード）３３が実装されたＬＥＤ用ＦＰＣ３４が接着されている。そして、樹脂フレーム３１の枠内には、ＬＥＤ３３の光をサブパネル１０およびメインパネル２０に導くための導光板３５が取り付けられている。すなわち、ＬＥＤ３３および導光板３５は、サブパネル１０およびメインパネル２０の両方で共通に使用される。この導光板３５は、約０．５７ｍｍの厚みを有するとともに、ＬＥＤ３３からの光を面状の光として液晶パネルの背面に照射する機能を有している。
【００２７】
また、図３および図４に示すように、導光板３５のサブパネル１０側には、導光板３５側から順に、１枚の拡散シート３６と、２枚のレンズシート３７ａおよび３７ｂとが配置されている。なお、レンズシート３７ａおよび３７ｂは、それぞれ、本発明の「第１レンズシート」および「第２レンズシート」の一例である。このレンズシート３７ａおよび３７ｂは、導光板３５からの光を集光する機能を有している一方、入射された光を反射する機能を有していない。また、拡散シート３６は、導光板３５から出射された光を拡散させて導光板３５の発光面内の明るさを均一化する機能を有している。なお、拡散シート３６の厚みは、約６５μｍである。
【００２８】
ここで、本実施形態では、図４に示すように、サブパネル１０側のレンズシート３７ｂの厚みｔ２（約１４０μｍ）は、拡散シート３６側のレンズシート３７ａの厚みｔ１（６２μｍ）よりも大きくなるように構成されている。具体的には、レンズシート３７ｂの厚みｔ２（約１４０μｍ）は、レンズシート３７ａの厚みｔ１（約６２μｍ）の約２．３倍になるように構成されている。また、レンズシート３７ｂは、約１２８μｍの厚みを有するとともにポリエステル系樹脂からなるベースシート部３７１ｂと、約１２μｍの高さを有するとともにアクリル系樹脂からなるプリズム部３７２ｂとから構成されている。また、レンズシート３７ａは、約５０μｍの厚みを有するとともにポリエステル系樹脂からなるベースシート部３７１ａと、約１２μｍの高さを有するとともにアクリル系樹脂からなるプリズム部３７２ａとから構成されている。また、厚みの大きいレンズシート３７ｂは、厚みの小さいレンズシート３７ａに比べて、撓みにくく、かつ、熱収縮しにくい。
【００２９】
また、図９に示すように、レンズシート３７ａおよび３７ｂは、それぞれ、平面的に見て四角形状を有している。また、レンズシート３７ａのプリズム部３７２ａは、頂角が９０°の断面三角形状を有するとともに、レンズシート３７ａの一辺３７０ａと実質的に平行な方向（図９のＡ方向）に延びるように形成されている。このプリズム部３７２ａは、Ｄ１（約２４μｍ）の間隔を隔てて複数形成されている。また、レンズシート３７ｂのプリズム部３７２ｂは、頂角が９０°の断面三角形状を有するとともに、レンズシート３７ｂの一辺３７０ｂと実質的に垂直な方向（図９のＢ方向）に延びるように形成されている。このプリズム部３７２ｂも、プリズム部３７２ｂと同じＤ１（約２４μｍ）の間隔を隔てて複数形成されている。なお、プリズム部３７２ａは、本発明の「第１プリズム部」の一例であり、プリズム部３７２ｂは、本発明の「第２プリズム部」の一例である。
【００３０】
また、図３に示すように、レンズシート３７ｂのサブパネル１０側の表面上には、開口部３８ａを有する遮光シート３８が配置されている。この遮光シート３８は、サブパネル１０側において、ＬＥＤ３３からの光が表示領域１０ａ以外の領域から漏れるのを抑制する機能を有する。すなわち、図３および図１１に示すように、遮光シート３８の開口部３８ａは、サブパネル１０の表示領域１０ａに対応する領域に設けられている。また、図１１〜図１３に示すように、レンズシート３７ｂは、サブパネル１０の偏光板１２ｂと接触することなく、サブパネル１０の偏光板との間に隙間を有するように配置されている。また、遮光シート３８の外縁部は、図３および図１２に示すように、樹脂フレーム３１の２つの長辺部と２つの短辺部とに接着されている。これにより、導光板３５と遮光シート３８との間に位置する拡散シート３６およびレンズシート３７が、樹脂フレーム３１に対して固定される。なお、図１２では、図面の簡略化のため、拡散シート３６、レンズシート３７ａおよび３７を１つのシート３０で表しているとともに、後述する拡散シート５１、レンズシート５２ａおよび５２ｂを１つのシート５０で表している。
【００３１】
また、図３に示すように、遮光シート３８のサブパネル１０側の表面上には、ステンレス製の板金からなる長方形状の補強プレート３９が配置されている。この補強プレート３９は、後述する共通ＦＰＣ４２を補強する機能を有する。また、補強プレート３９には、開口部３９ａおよび３９ｂが形成されている。補強プレート３９の開口部３９ａは、サブパネル１０の表示領域１０ａに対応する領域に設けられているとともに、補強プレート３９の開口部３９ｂは、サブパネル用駆動ＩＣ１３に対応する領域に設けられている。
【００３２】
また、補強プレート３９の樹脂フレーム３１の３つの係合片３１ｂに対応する領域には、それぞれ、樹脂フレーム３１の係合片３１ｂと係合する係合孔３９ｃが形成されている。また、補強プレート３９の樹脂フレーム３１の２つの位置決めピン３１ｃに対応する領域には、それぞれ、長穴３９ｄが形成されている。そして、図３、図７および図８に示すように、補強プレート３９の３つの係合孔３９ｃの各々が樹脂フレーム３１の３つの係合片３１ｂと係合することにより、補強プレート３９が樹脂フレーム３１に対して固定されている。また、図３および図８に示すように、樹脂フレーム３１の位置決めピン３１ｃは、補強プレート３９の長穴３９ｄを介してサブパネル１０側に突出している。
【００３３】
また、補強プレート３９には、サブパネル１０（ガラス基板１１ａ）の３辺を囲むように、サブパネル１０側に突出する複数の位置決め用の突出片３９ｅが形成されている。この補強プレート３９の複数の突出片３９ｅは、サブパネル１０の表示領域１０ａが補強プレート３９の開口部３９ａに配置されるように、補強プレート３９に対してサブパネル１０を位置決めする機能を有する。
【００３４】
また、図３に示すように、補強プレート３９上には、サブパネル１０に対応する領域以外の所定領域に位置する微粘着の両面テープ４０のみを介して、サブパネル１０およびメインパネル２０の両方で共通に使用される共通ＦＰＣ４２が接着されている。この共通ＦＰＣ４２は、サブパネル１０に対応する領域に開口部４２ａを有する。また、共通ＦＰＣ４２の樹脂フレーム３１の２つの位置決めピン３１ｃに対応する領域には、それぞれ、位置決め孔４２ｂが形成されている。そして、補強プレート３９に接着された共通ＦＰＣ４２は、共通ＦＰＣ４２の位置決め孔４２ｂと樹脂フレーム３１の位置決めピン３１ｃとにより、樹脂フレーム３１に対して位置決めされている。また、共通ＦＰＣ４２には、ＬＥＤ用ＦＰＣ３４の端子３４ａが差し込まれるコネクタ４２ｃと、サブパネル用ＦＰＣ１４の端子１４ａが差し込まれるコネクタ４２ｄとが実装されている。また、共通ＦＰＣ４２には、コネクタ４２ｃおよび４２ｄ以外の複数のコネクタ４２ｅ（図１参照）も実装されている。また、共通ＦＰＣ４２は、メインパネル用ＦＰＣ２４に接続されている。
【００３５】
そして、図３に示すように、サブパネル１０は、共通ＦＰＣ４２の開口部４２ａを介して補強プレート３９に接着されている。具体的には、サブパネル１０の表示領域１０ａを囲む領域（非表示領域１０ｂ）が、補強プレート３９の開口部３９ａの外縁部に沿った領域に位置する強粘着の両面テープ４１に接着されている。また、補強プレート３９に接着されたサブパネル１０は、補強プレート３９の位置決め用の突出片３９ｅにより、サブパネル１０の表示領域１０ａが補強プレート３９の開口部３９ａに配置されるように位置決めされている。
【００３６】
また、サブパネル１０の上方には、ステンレス製の板金からなる長方形状のベゼル（金属製フレーム）４３が配置されている。このベゼル４３は、図１および図３に示すように、サブパネル１０の表示領域１０ａに対応する領域に、開口部４３ａを有する。これにより、サブパネル１０の表示領域１０ａがベゼル４３の開口部４３ａから露出される。また、ベゼル４３の開口部４３ａの外縁部の全ての領域に沿って、絞り加工による凹部４３ｄが形成されている。このベゼル４３の凹部４３ｄは、ベゼル４３の凹部４３ｄ以外の部分と同じ厚みを有する。そして、ベゼル４３の凹部４３ｄのサブパネル１０側の表面には、強粘着の両面テープ（Ｎｏ．５３２、日東電工製）４５を介して、クッション層４４が、接着されている。このクッション層４４は、組み立てた状態で、サブパネル１０の表面に接着しないように配置されている。また、このクッション層４４は、発泡性材料（ＳＣＦ−１００、日東電工製）からなる。
【００３７】
また、図３に示すように、ベゼル４３の短手方向に互いに対向する長手方向の２つの側面には、それぞれ、係合孔４３ｂが３つずつ形成されている。また、ベゼル４３の長手方向に互いに対向する２つの側面のうちの一方には、１つの係合孔４３ｂが形成されている。そして、ベゼル４３の７つの係合孔４３ｂの各々が樹脂フレーム３１の７つの係合片３１ａと係合することにより、図１に示すように、ベゼル４３が樹脂フレーム３１に対して固定される。また、ベゼル４３には、共通ＦＰＣ４２に実装されたコネクタ４２ｃ〜４２ｅの各々を露出させるための開口部４３ｃが形成されている。
【００３８】
樹脂フレーム３１の下方側に配置されるメインパネル２０の構造としては、上記したサブパネル１０の構造と同様である。すなわち、メインパネル２０では、図３および図４に示すように、２枚のガラス基板２１ａおよび２１ｂが、液晶層（図示せず）を挟んで互いに対向するように配置されている。また、ガラス基板２１ａのガラス基板２１ｂとは反対側の表面上には、偏光板２２ａが配置されているとともに、ガラス基板２１ｂのガラス基板２１ａとは反対側の表面上には、偏光板２２ｂが配置されている。
【００３９】
この偏光板２２ａおよび２２ｂは、図６に示すように、約３０μｍの厚みを有するＰＶＡ層２２１ａ（２２１ｂ）の上面および下面に、約４０μｍの厚みを有するＴＡＣ層２２２ａ（２２２ｂ）がそれぞれ設けられた三層構造を有している。また、偏光板２２ａおよび２２ｂは、約２５μｍの厚みを有するアクリル系樹脂からなる接着材２２ｃを介して、ガラス基板２１ａおよび２１ｂにそれぞれ接着されている。そして、図３に示すように、偏光板２２ａ（２２ｂ）が配置された領域内の破線で囲まれた領域が、メインパネル２０の表示領域２０ａとなるとともに、表示領域２０ａ以外の領域が、非表示領域２０ｂとなる。なお、メインパネル２０の表示領域２０ａは、サブパネル１０の表示領域１０ａよりも大きくなるように構成されている。また、メインパネル２０の非表示領域２０ｂ内の所定領域において、ガラス基板２１ａのガラス基板２１ｂ側の表面上には、メインパネル用駆動ＩＣ２３が形成されている。また、メインパネル用駆動ＩＣ２３には、メインパネル用ＦＰＣ２４が接続されている。
【００４０】
ここで、本実施形態では、図６に示すように、偏光板２２ａの導光板３５側の表面上には、約２５μｍの厚みを有する拡散層２２ｄを介して、約１１１μｍの厚みを有するポリエステル系樹脂製のＤＢＥＦ（Ｄｕａｌ  Ｂｒｉｇｈｔｎｅｓｓ  Ｅｎｈａｎｃｅｍｅｎｔ  Ｆｉｌｍ）２２ｅが接着されている。この拡散層２２ｄは、接着剤に拡散材が混入されることにより構成されている。また、ＤＢＥＦ２２ｅは、ＬＥＤ３３から導光板３５を介して照射された光のうち、Ｐ波またはＳ波のいずれか一方を透過するとともに、他方を反射して、反射された光を再利用する機能を有している。なお、ＤＢＥＦ２２ｅは、本発明の「偏光部材」の一例である。また、拡散層２２ｄの、ヘイズ率は、約６２％である。ここで、ヘイズ率とは、試験片を通過する透過光のうち散乱によって、入射光から２．５°以上それた透過光を百分率で表わしたものである。このヘイズ率は、フィルムやシートなどに光を透過させた時の曇り度（拡散）の指標として用いられ、ヘイズ率が高い程、曇り度（拡散）が大きい。
【００４１】
また、本実施形態では、図６に示すように、ＤＢＥＦ２２ｅの導光板３５側の表面上には、ＤＢＥＦ２２ｅの表面を保護するための保護層２２ｆが設けられている。
【００４２】
また、図３および図４に示すように、導光板３５のメインパネル２０側には、導光板３５側から順に、約６５μｍの厚みを有する１枚の拡散シート５１と、レンズシート３７ａと同じ約６２μｍの厚みｔ１を有する２枚のレンズシート５２ａおよび５２ｂとが配置されている。このレンズシート５２ａおよび５２ｂは、導光板３５からの光を集光する機能を有している一方、入射された光を反射する機能を有していない。また、拡散シート５１は、導光板３５から出射された光を拡散させて導光板３５の発光面内の明るさを均一化する機能を有している。なお、レンズシート５２ａおよび５２ｂは、それぞれ、本発明の「第３レンズシート」および「第４レンズシート」の一例である。
【００４３】
また、レンズシート５２ａおよび５２ｂは、それぞれ、サブパネル１０側に配置されたレンズシート３７ａおよび３７ｂと同様の形状を有している。すなわち、図１０に示すように、レンズシート５２ａおよび５２ｂは、それぞれ、平面的に見て四角形状を有している。また、レンズシート５２ａおよび５２ｂは、それぞれ、ポリエステル系樹脂からなるベースシート部５２１ａおよび５２１ｂと、アクリル系樹脂からなるプリズム部５２２ａおよび５２２ｂとから構成されている。また、レンズシート５２ａのプリズム部５２２ａは、頂角が９０°の断面三角形状を有するとともに、レンズシート５２ａの一辺５２０ａと実質的に平行な方向（図１０のＡ方向）に延びるように形成されている。このプリズム部５２２ａは、Ｄ１（約２４μｍ）の間隔を隔てて複数形成されている。また、レンズシート５２ｂのプリズム部５２２ｂは、頂角が９０°の断面三角形状を有するとともに、レンズシート５２ｂの一辺５２０ｂと実質的に垂直な方向（図１０のＢ方向）に延びるように形成されている。このプリズム部５２２ｂは、プリズム部５２２ａと同じＤ１（約２４μｍ）の間隔を隔てて複数形成されている。
【００４４】
また、レンズシート５２ｂのメインパネル２０側には、図３および図４に示すように、開口部５３ａを有する遮光シート５３が配置されている。この遮光シート５３は、メインパネル２０側において、ＬＥＤ３３からの光が表示領域２０ａ以外の領域から漏れるのを抑制する機能を有している。すなわち、遮光シート５３の開口部５３ａは、メインパネル２０の表示領域２０ａに対応する領域に設けられている。また、遮光シート５３の両面には、粘着層が設けられており、遮光シート５３を介して、メインパネル２０が樹脂フレーム３１に固定されている。
【００４５】
本実施形態では、上記のように、サブパネル１０側に配置されるレンズシート３７ｂの厚みｔ２（約１４０μｍ）を、レンズシート３７ａの厚みｔ１（約６２μｍ）よりも大きくすることによって、レンズシート３７ｂの曲げ強度が大きくなるので、レンズシート３７ｂの撓みを抑制することができる。このため、レンズシート３７ｂとサブパネル１０との間の間隔が不均一になるのを抑制することができる。これにより、レンズシート３７ｂとサブパネル１０との間の間隔の不均一による光路差に起因して生じる光の干渉による明暗の干渉縞（ニュートンリング）がサブパネル１０に発生するのを抑制することができる。また、レンズシート３７ｂの厚みｔ２を、レンズシート３７ａの厚みｔ１よりも大きくすることによって、厚みの大きいレンズシート３７ｂの方が熱収縮するための熱エネルギを多く必要とするので、レンズシート３７ｂの熱収縮を抑制することができる。このため、熱収縮によるレンズシート３７ｂの変形により、レンズシート３７ｂとサブパネル１０との間の間隔が不均一になるのを抑制することができるので、これによっても、サブパネル１０に、明暗の干渉縞（ニュートンリング）が生じるのを抑制することができる。
【００４６】
また、本実施形態では、レンズシート３７ｂを、レンズシート３７ａよりも熱収縮しにくくすることによって、熱収縮によってレンズシート３７ｂが変形するのを容易に抑制することができるので、熱収縮によるレンズシート３７ｂの変形によって、レンズシート３７ｂがサブパネル１０の偏光板１２ｂに押圧されるのを抑制することができる。このため、レンズシート３７ｂの押圧により、サブパネル１０の偏光板１２ｂの表面に傷が付くのを抑制することができる。
【００４７】
また、本実施形態では、メインパネル２０とレンズシート５２ｂとの間に、レンズシート５２を透過する光が干渉することにより生じる干渉縞を抑制するための拡散層２２ｄを有するように構成することによって、レンズシート５２ａおよび５２ｂが撓むか、または、熱収縮によりレンズシート５２ａおよび５２ｂが変形することに起因して、メインパネル２０とレンズシート５２ｂとの間の間隔およびレンズシート５２ａとレンズシート５２ｂとの間の間隔が不均一になった場合でも、上記間隔の不均一（光の光路差）に起因して生じる光の干渉による明暗の差を減少するように、導光板３５から出射された光を拡散層によって拡散させることができる。これにより、光路差に起因して生じる光の干渉による明暗の干渉縞（ニュートンリング）がメインパネル２０に生じるのを実質的に抑制することができる。
【００４８】
また、本実施形態では、拡散層２２ｄを、ＤＢＥＦ２２ｅと偏光板２２ａとの間に配置し、接着剤に拡散材を混入した接着層２２ｄを含むように構成することによって、ＤＢＥＦ２２ｅを偏光板２２ａに接着させる際の接着層を、拡散層２２ｄとして用いることができるので、別途拡散シートなどを設ける必要がなくなる。このため、別途拡散シートなどを設ける場合に比べて、ＬＣＤユニット１の厚みを小さくすることができる。
【００４９】
また、本実施形態では、ＤＢＥＦ２２ｅの導光板３５側の表面に、レンズシート５２ｂとの接触を抑制することが可能な保護層２２ｆを設けることによって、熱収縮によってレンズシート５２ｂが変形することに起因してレンズシート５２ｂがＤＢＥＦ２２ｅの表面を押圧する場合でも、ＤＢＥＦ２２ｅの表面に設けられた保護層２２ｆによって、ＤＢＥＦ２２ｅの表面に傷が付くのを容易に抑制することができる。
【００５０】
図１４は、図１に示した一実施形態によるＬＣＤユニットを用いた携帯電話（携帯機器）の開いた状態を示した斜視図である。図１５は、図１に示した一実施形態によるＬＣＤユニットを用いた携帯電話（携帯機器）の閉じた状態を示した斜視図である。図１４および図１５を参照して、本実施形態による携帯電話（携帯機器）６０の構造について説明する。
【００５１】
本実施形態による携帯電話６０は、図１４に示すように、各種操作ボタン７１が設けられるとともに、マイク７２を内蔵した本体部７０と、メインパネル２０、サブパネル１０（図１５参照）およびアンテナ８１を備えるとともに、スピーカ８２を内蔵した表示部８０とを備えている。なお、操作ボタン７１は、本発明の「入力部」の一例である。また、本体部７０と表示部８０とは、ヒンジ６１によって相互に折り畳み自在に構成されている。また、表示部８０の内部には、図１に示したＬＣＤユニット１が内蔵されており、表示部８０の内面側には、メインパネル２０の表示画面が視認可能に配置されている。また、表示部８０の外面側には、図１５に示すように、サブパネル１０の表示画面が視認可能に配置されている。
【００５２】
本実施形態では、上記のように、携帯電話（携帯機器）６０に上記のＬＣＤユニット１を用いることによって、サブパネル１０およびメインパネル２０に干渉縞（ニュートンリング）が生じるのを抑制することが可能な携帯電話（携帯機器）６０を提供することができる。
【００５３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５４】
たとえば、上記実施形態では、サブパネルと導光板との間に配置された２枚のレンズシートのうち、サブパネル側のレンズシートの厚みを導光板側のレンズシートの厚みの約２．３倍の厚みにした例を示したが、本発明はこれに限らず、サブパネル側のレンズシートは、導光板側のレンズシートに比べて、厚みが大きく、撓みにくいものであり、かつ、熱収縮しにくいものであれば、２．３倍以外の倍率の厚みであってもよい。
【００５５】
また、上記実施形態では、メインパネルと導光板との間に配置された２枚のレンズシートを、同じ厚みを有するように構成した例を示したが、本発明はこれに限らず、メインパネル側に配置されたレンズシートを、サブパネル側に配置されたレンズシートと同様の構成にしてもよい。すなわち、メインパネル側に配置された２枚のレンズシートのうち、メインパネル側のレンズシートの厚みを、導光板側のレンズシートの厚みよりも大きくなるように構成してもよい。
【００５６】
また、上記実施形態では、メインパネルの導光板側に拡散材を混入した接着材でＤＢＥＦを接着し、接着層を拡散層として用いる例を示したが、本発明はこれに限らず、メインパネルとレンズシートとの間に配置されるものであれば、拡散シートなどの拡散層を接着層とは別個に設けるようにしてもよい。
【００５７】
また、上記実施形態では、携帯電話に本発明の表示装置を適用した例を示したが、本発明はこれに限らず、携帯電話以外の携帯機器にも適用可能である。携帯電話以外の携帯機器としては、たとえば、携帯情報端末（ＰＤＡ（Ｐａｒｓｏｎａｌ  Ｄｅｇｉｔａｌ  Ａｓｓｉｓｔａｎｃｅ））、ノートパソコンなどの携帯用パーソナルコンピュータ、電子スチルカメラ、携帯用ゲーム機器、ビデオカメラなどがある。
【００５８】
また、上記実施形態では、本発明の表示装置の一例としてのＬＣＤユニット（液晶表示装置）について説明したが、本発明はこれに限らず、導光板とレンズシートとを用いる表示装置であれば、ＬＣＤユニット（液晶表示装置）以外の表示装置にも適用可能である。
【図面の簡単な説明】
【００５９】
【図１】本発明の一実施形態によるＬＣＤユニット（液晶表示装置）をサブパネル側から見た斜視図である。
【図２】図１に示した一実施形態によるＬＣＤユニットをメインパネル側から見た斜視図である。
【図３】図１に示した一実施形態によるＬＣＤユニットの分解斜視図である。
【図４】図１に示した一実施形態によるＬＣＤユニットの概略を示す断面図である。
【図５】図１に示した一実施形態によるＬＣＤユニットの表示パネルの偏光板の断面図である。
【図６】図１に示した一実施形態によるＬＣＤユニットのメインパネルの導光板側の断面図である。
【図７】図１に示した一実施形態によるＬＣＤユニットの樹脂フレームをサブパネル側から見た斜視図である。
【図８】図１に示した一実施形態によるＬＣＤユニットからベゼルを取り外した状態を示した斜視図である。
【図９】図１に示した一実施形態によるＬＣＤユニットのサブパネル側のレンズシートを示した斜視図である。
【図１０】図１に示した一実施形態によるＬＣＤユニットのメインパネル側のレンズシートを示した斜視図である。
【図１１】図１の１５０−１５０線に沿った断面図である。
【図１２】図１の２００−２００線に沿った断面図である。
【図１３】図１２の２５０部の拡大断面図である。
【図１４】図１に示した一実施形態によるＬＣＤユニットを用いた携帯電話（携帯機器）の開いた状態を示した斜視図である。
【図１５】図１に示した一実施形態によるＬＣＤユニットを用いた携帯電話（携帯機器）の閉じた状態を示した斜視図である。
【図１６】特許文献１に記載された従来の一例によるＬＣＤユニットの構造を示した断面図である。
【符号の説明】
【００６０】
１０            サブパネル（第１表示パネル）
１４            サブパネル用ＦＰＣ
１１ａ、１１ｂ、２１ａ、２１ｂ    ガラス基板
１２ａ、１２ｂ、２２ａ、２２ｂ    偏光板
２０            メインパネル（第２表示パネル）
２２ｄ          拡散層
２２ｅ          ＤＢＥＦ（偏光部材）
２２ｆ          保護層
２４            メインパネル用ＦＰＣ
３１            樹脂フレーム
３３            ＬＥＤ
３５            導光板
３６、５１      拡散シート
３７ａ          レンズシート（第１レンズシート）
３７ｂ          レンズシート（第２レンズシート）
３７１ａ、３７１ｂ      ベースシート部
３７２ａ        プリズム部（第１プリズム部）
３７２ｂ        プリズム部（第２プリズム部）
３８、５３      遮光シート
４２            共通ＦＰＣ
５２ａ          レンズシート（第３レンズシート）
５２ｂ          レンズシート（第４レンズシート）
【図１】
0004830465.tif 000002
【図２】
0004830465.tif 000003
【図３】
0004830465.tif 000004
【図４】
0004830465.tif 000005
【図５】
0004830465.tif 000006
【図６】
0004830465.tif 000007
【図７】
0004830465.tif 000008
【図８】
0004830465.tif 000009
【図９】
0004830465.tif 000010
【図１０】
0004830465.tif 000011
【図１１】
0004830465.tif 000012
【図１２】
0004830465.tif 000013
【図１３】
0004830465.tif 000014
【図１４】
0004830465.tif 000015
【図１５】
0004830465.tif 000016
【図１６】
0004830465.tif 000017